(57)【要約】      （修正有）【課題】携帯式電子裝置を握り持つ時の安定性が向上、持ち心地のよさが向上する携帯型電子装置を硬質プロテクティブケースを提供する。【解決手段】携帯型電子装置の硬質プロテクティブケースＡは、背板部１１に一体形成された外突出形穿設部２０、及び該背板部１１の背側面１１２の外側に設けられた手持ち位置決め補助ユニット３０を備えてなる。該外突出形穿設部２０は、間隔を開けて配置されている二組があり、該手持ち位置決め補助ユニット３０は可撓性を有する長形体３３であるため、連結ヘッドが間隔を開けて該長形体の二ヶ所に設けられるようになり、該二連結ヘッドはそれぞれ、該外突出形穿設部の通し穴２２を通って、外突出形穿設部２０の嵌置空間内２３に嵌め込まれ、プロテクティブケース主体の背板部１１の背側面１１２との間に差込み握持ち空間が設ける。それにより、使用者が握り持つとき、手の指で差込みや握持ちするように設けられ、より安定して握り持つことができる。【選択図】図５
0003177462.tif 000002
【実用新案登録請求の範囲】
【請求項１】
既存の携帯式電子裝置Ｂの外側を包むように用いられる該硬質プロテクティブケースＡであり、
プラスチックまたは革材料で作られ、前側面１１１と背側面１１２を持つ背板部１１、及び該背板部１１の前側面１１１に設けられた位置決め部１２を備えてなるプロテクティブケース主体１０が備えられ、該位置決め部１２は、該携帯式電子裝置Ｂの位置決めを行うように設けられ、該プロテクティブケース主体１０の前側面１１１には更に、該携帯式電子裝置にあるコントロールパネルインターフェース１４を露出するための透かし部１３が設けられており、
該プロテクティブケース主体１０の背板部１１に一体成形された一外突出形穿設部２０が備えられ、該外突出形穿設部２０は、該背板部１１の背側面１１２に突き出した凸縁２１、該凸縁２１の中央部にある通し穴２２、及び対向して、該凸縁２１の内部に設けられた嵌置空間２３を備えてなるものであり、
該プロテクティブケース主体１０の背板部１１の背側面１１２外側に設けられ、そして該外突出形穿設部２０に連結、固定されている手持ち位置決め補助ユニット３０が備えられ、該手持ち位置決め補助ユニット３０は、外突出拡大体３１と連結ヘッド３２を備えてなり、該連結ヘッド３２は、外突出形穿設部２０の通し穴２２を通って、外突出形穿設部２０の嵌置空間２３内に嵌め込むように設けられており、
それにより、該手持ち位置決め補助ユニット３０の外突出拡大体３１とプロテクティブケース主体１０の背板部１１の背側面１１２との間に差込み握持ち空間４０が設けられ、使用者はそれを握り持つとき、手の指で差込みまたは握持ちするように設けられ、使用者が携帯式電子裝置Ｂを握り持つときの安定性を高めるように設けられていることを特徴とする携帯型電子装置の硬質プロテクティブケース。
【請求項２】
該外突出形穿設部２０は、間隔を開けて配置されている二ヶ所があり、該手持ち位置決め補助ユニット３０は、可撓性を有する長形体３３であるため、連結ヘッド３２が間隔を開けて該長形体３３の二ヶ所に設けられるようになり、該二連結ヘッド３２はそれぞれ、該二外突出形穿設部２０の通し穴２２を通って、外突出形穿設部２０の嵌置空間２３内に嵌め込むように設けられていることを特徴とする請求項１に記載の携帯型電子装置の硬質プロテクティブケース。
【請求項３】
該二つの外突出形穿設部２０の凸縁２１の中央部にある通し穴２２は一つは丸い穴で、もう一つは長い穴に設けられており、手持ち位置決め補助ユニット３０の長形体３３の一ヶ所にある連結ヘッド３２は、該長い穴の通し穴に沿って移動、調整されるように設けられていることを特徴とする請求項２に記載の携帯型電子装置の硬質プロテクティブケース。
【請求項４】
該二つの外突出形穿設部２０の凸縁２１の中央部にある通し穴２２は、どれも長い穴に設けられており、手持ち位置決め補助ユニット３０の長形体３３の二ヶ所にある連結ヘッド３２は、該長い穴の通し穴に沿って移動、調整されるように設けられていることを特徴とする請求項２に記載の携帯型電子装置の硬質プロテクティブケース。
【請求項５】
該二つの外突出形穿設部２０の凸縁２１の中央部にある長い穴の通し穴２２は、相互に平行し、相互に垂直し、相互の間に交差角度があるという対称関係のどれかの一つに設けられていることを特徴とする請求項４に記載の携帯型電子装置の硬質プロテクティブケース。
【請求項６】
該手持ち位置決め補助ユニット３０の長形体３３と二連結ヘッド３２は、弾性と可撓性を兼ね備えたゴム、シリコン、プラスチックのどれかの一つの材料で一体成形されていることを特徴とする請求項２、３または４に記載の携帯型電子装置の硬質プロテクティブケース。
【請求項７】
該手持ち位置決め補助ユニット３０の長形体３３は条状、板状のいずれかの一つの形態に設けられていることを特徴とする請求項２、３または４に記載の携帯型電子装置の硬質プロテクティブケース。
【請求項８】
該手持ち位置決め補助ユニット３０の長形体３３は板状で、該手持ち位置決め補助ユニット３０の連結ヘッド３２は間隔を開けて、該長形体３３の二ヶ所に設けられ、そして、該二連結ヘッド３２の間には、外突出拡大体３１が設けられ、それを使用者の手の指で挟み持ち、または握り持ちするように設けられていることを特徴とする請求項２に記載の携帯型電子装置の硬質プロテクティブケース。
【請求項９】
該手持ち位置決め補助ユニット３０の長形体３３は板状で、該手持ち位置決め補助ユニット３０の連結ヘッド３２は、該長形体３３の両端に設けられていることを特徴とする請求項２に記載の携帯型電子装置の硬質プロテクティブケース。
【考案の詳細な説明】
【技術分野】
【０００１】
本考案は、携帯式電子裝置の関連付属品に関わり、特に硬質プロテクティブケースに関する。
【背景技術】
【０００２】
電子技術の発展、薄型と軽量化に伴って、現在の携帯型電子裝置が非常に普及されるようになり、該携帯型電子裝置は、機能が多様化し、例えば、携帯電話、ＰＤＡ（パーソナル・デジタル・アシスタン）、タブレットＰＣ、ナビゲーション装置、電子ブック、電子ゲーム機、電子プレヤーなどがある。
【０００３】
該携帯型電子裝置の関連付属品と言えば、直ちにプロテクティブケースが連想される商品の一つと思われ、その中で本考案の対象物は、携帯式電子裝置の硬質プロテクティブケース商品であるが従来の商品は硬質プロテクティブケースはプラスチック、本革や人造革で作られてあり、該硬質プロテクティブケースの被覆セットにより、衝突、落下、スクラッチなどから携帯型電子裝置を保護すると同時に、モダンなファッションセンスを有するものであり、このような硬質プロテクティブケースは通常、使いやすいように、保護装置を有する携帯型電子裝置の操作インターフェースが設けられている。
【０００４】
ところが、従来の携帯式電子裝置は、硬質プロテクティブケースが配置されていても、以下のような問題点がある。
【０００５】
伝統的な携帯型電子裝置は、製造技術の限界から、全体としてサイズが大きく、コンパクト化や軽量、薄型化を実現することはできなかったが、この数年間、電子技術が大きく発展し、様々な携帯型電子裝置の外観はコンパクト化、軽量でかつ薄型で実現されている。しかしそれらは使用者にとって必ずしも使いやすいものだとは限らない。一つには、あまりにも小さすぎて、持ちにくいからという問題点があること、もう一つの重要な問題点を取り上げていえば、現在のタブレットＰＣから、タッチパネルブームが流行るようになり、コンピュータのスクリーンは、ワイドディスプレイインターフェースが市場の主流となっており、携帯型電子裝置は幅が広く、薄型の新タイプが増えていることにあり、そのような幅が広く、薄型商品を手にしてみると、理想的な安定性と持ち心地がなく、それを、力を入れすぎて手で握り持つと、腕や肘が痛くなりがちで、逆に、あまり力を入れず、手でしっかりと握らないと、落下したり、または落下しなくても、落とす危険を考えて不安を感じたりすることである。それらは、従来のフレキシブルプロテクティブケースの設計や機能では解決できない問題点であり、現在、市販されている硬質プロテクティブケース商品はせいぜい、携帯型電子裝置の外側を包むのに用いられる付属品に過ぎないものであって、上述の問題点について、より実用的機能を有する新しいプロテクティブケース構造を開発するのが、使用者が望むことであり、関連業者がそれを開発するよう努力すべき目標と方向でもある。
【０００６】
それゆえ、上述の従来の構造に存在している問題点について、より理想的で実用性のあるオリジナルな構造を開発するのが、使用者が望むことであり、関連業者がそれを開発するよう努力すべき目標と方向でもある。
【０００７】
それを鑑みて、発明者は関連製品の製造や開発設計に携わる長年の経験を持っており、上述の目標について、詳しく設計、慎重に評価したうえ、ようやく実用性のある本考案を開発したものである。
【考案の概要】
【考案が解決しようとする課題】
【０００８】
本考案は、携帯型電子装置の硬質プロテクティブケース改良を提供することを目的とし、解決しようとする課題は、従来の存在している問題点を改良することにある。
【０００９】
本考案の課題を解決しようとする技術的特徴として、該硬質プロテクティブケースは、前側面と背側面を持つ背板部、及び該背板部の前側面に設けられた位置決め部を備えてなるプロテクティブケース主体が備わり、該位置決め部は、該携帯型電子裝置の位置決めを行うように設けられ、該プロテクティブケース本体の前側面には更に該携帯型電子裝置にあるコントロールパネルインターフェイスを露出するための透かし部が設けられており、更に該プロテクティブケース主体の背板部に一体形成された一外突出形穿設部が備えられ、該外突出形穿設部は、該背板部の背側面に突き出した凸縁、該凸縁の中央部にある通し穴、及び対向して該凸縁の内部に設けられた嵌置空間を備えてなるものであり、該プロテクティブケース主体の背板部の背側面の外側に設けられ、そして該外突出形穿設部に連結、固定されている手持ち位置決め補助ユニットが備わり、該手持ち位置決め補助ユニットは、外突出拡大体と連結ヘッドを備えてなり、該連結ヘッドは、外突出形穿設部の通し穴を通って、外突出形穿設部の嵌置空間内に嵌め込むように設けられていることを特徴とするものである。本考案では、背景技術に比べれば、該手持ち位置決め補助ユニットの外突出拡大体とプロテクティブケース主体の背板部の背側面との間に差込み握持ち空間が設けられており、使用者はそれを握り持つとき、手の指で差込みや握持するように設けられており、使用者が携帯式電子裝置を握り持つ時の安定性が向上し、握り持つときの手の指や腕の緊張感が軽減され、持ち心地のよさや安心感が大幅に向上されるという実用性、があることである。
【００１０】
本考案にあっては、該外突出形穿設部は、間隔を開けて配置されている二組があり、該手持ち位置決め補助ユニットは可撓性を有する長形体であるため、連結ヘッドが間隔を開けて該長形体の二ヶ所に設けられるようになり、該二連結ヘッドはそれぞれ、該外突出形穿設部の通し穴を通って、外突出形穿設部の嵌置空間内に嵌め込むように設けられており、それにより、使用者が握り持つとき、手の指で該長形体の中へ差込み、または該長形体を握り持ちするように設けられ、握り持つときの安定性を高めることがもう一つの特徴である。
【００１１】
本考案にあっては、該外突出形穿設部の凸縁の中央部にある通し穴は長い穴に設けられるが、それにより、手持ち位置決め補助ユニットの長形体の二ヶ所にある連結ヘッドは、該長い穴の通し穴に沿って移動、調整されるように設けられていることをもう一つの技術的特徴とすることで、手の大きさに応じて、差込み握持ち空間が調整されることももう一つの特徴である。
【考案の効果】
【００１２】
本考案による効果は下記の通り。  
本考案に掲示した“携帯型電子装置の硬質プロテクティブケース”は、該プロテクティブケース主体の背板部に一体形成された外突出形穿設部、及び該背板部の背側面の外側に設けられた手持ち位置決め補助ユニットを備えてなり、本考案では、［背景技術］に述べられた従来の技術に比べれば、該手持ち位置決め補助ユニットの外突出拡大体とプロテクティブケース主体の背板部の背側面との間に差込み握持ち空間が設けられており、使用者はそれを握り持つとき、手の指で差込みや握持ちするように設けられ、落下などへの心配は不要で、使用者が携帯式電子裝置を握り持つ時の安定性が向上、持ち心地のよさや安心感が大幅に向上される。
【００１３】
本考案による新しい効果は下記の通り。  
１．該外突出形穿設部は、間隔を開けて配置されている二組があり、該手持ち位置決め補助ユニットは可撓性を有する長形体であるため、連結ヘッドが間隔を開けて該長形体の二ヶ所に設けられるようになり、該二連結ヘッドはそれぞれ、該外突出形穿設部の通し穴を通って、外突出形穿設部の嵌置空間内に嵌め込まれ、プロテクティブケース主体の背板部の背側面との間に差込み握持ち空間が設けられており、それにより、使用者が握り持つとき、手の指で差込みや握持ちするように設けられ、より安定して握り持つことができる。
【００１４】
２該外突出形穿設部の凸縁の中央部にある通し穴は長い穴に設けられるが、それにより、手持ち位置決め補助ユニットの長形体の二ヶ所にある連結ヘッドは、該長い穴の通し穴に沿って移動、調整されるように設けられていることを技術的特徴とすることで、手の大きさに応じて、差込み握持ち空間が調整される。
【００１５】
上述した実施例に掲示したのは、本考案を具体的に説明するために用いられる内容であり、文の中で専門用語で説明してきたが、それを以って本考案の特許請求範囲を制限してはならず、当該技術分野の分かるものが本考案のコンセプトや考えに基づき、その変化や改造などを行って、それと同等な効果を得たとしても、すべて本考案の特許請求範囲に含まれるものとする。
【図面の簡単な説明】
【００１６】
【図１】本考案に包まれている携帯型電子装置の立体図。
【図２】本考案の連結ヘッドが外突出形穿設部の嵌置空間内に嵌め込まれている組立立体イメージ。
【図３】本考案の連結ヘッドが外突出形穿設部の嵌置空間内に嵌め込まれているもう一つの実施例の組立立体イメージ。
【図４】本考案の連結ヘッドが外突出形穿設部の嵌置空間内に嵌め込まれている局所断面図。
【図５】本考案の連結ヘッドが長い穴の通し穴に沿って移動、調整される作動状態図。
【図６】本考案の外突出形穿設部の通し穴はどれも丸い穴に設けられている場合の実施例図。
【図７】本考案の外突出形穿設部の通し穴はどれも長い穴で、延ばされている形状は相互に平行している場合の実施例図。
【図８】本考案の外突出形穿設部の通し穴はどれも長い穴で、延ばされている形状は相互に垂直している場合の実施例図。
【図９】本考案の外突出形穿設部の通し穴はどれも長い穴で、延ばされている形状は、相互の間に交差角度がある場合の実施例図。
【図１０】本考案の手持ち位置決め補助ユニットのもう一つの実施例立体図。
【図１１】本考案の手持ち位置決め補助ユニットのまたもう一つの実施例立体図。
【図１２】本考案の手で握り持つときの使用状態図。
【図１３】本考案の手で握り持つときの使用状態図。
【考案を実施するための形態】
【００１７】
図１〜図３に示すのは、本考案の携帯型電子装置の硬質プロテクティブケース改良構造の好適な実施例だが、それらの実施例は説明のみに用いられるもので、特許請求の際、それらの構造に制限されないものとする。既存の携帯式電子裝置Ｂの外側を包むように用いられる該硬質プロテクティブケースＡであり、
プラスチック（例えば、プラスチック射出成形）、本革または人造革で作られたプロテクティブケース主体１０が備わり、該プロテクティブケース主体１０は、前側面１１１と背側面１１２を持つ背板部１１、及び該背板部１１の前側面１１１に設けられた位置決め部１２を備えてなり、該位置決め部１２は、該携帯式電子裝置Ｂの位置決めを行うように設けられ、該プロテクティブケース主体１０の前側面１１１には更に、該携帯式電子裝置Ｂにあるコントロールパネルインターフェース１４を露出するための透かし部１３（図１のみに表示）が設けられており、
更に、該プロテクティブケース主体１０の背板部１１に一体成形された一つの外突出形穿設部２０が備えられ、該外突出形穿設部２０は、該背板部１１の背側面１１２に突き出した凸縁２１、該凸縁２１の中央部にある通し穴２２、及び対向して、該凸縁２１の内部に設けられた嵌置空間２３を備えてなるものである。
【００１８】
また、該プロテクティブケース主体１０の背板部１１の背側面１１２外側に設けられ、そして該外突出形穿設部２０に連結、固定されている手持ち位置決め補助ユニット３０が備わり、該手持ち位置決め補助ユニット３０は、外突出拡大体３１と連結ヘッド３２を備えてなり、該連結ヘッド３２は、外突出形穿設部２０の通し穴２２を通って、外突出形穿設部２０の嵌置空間２３内に嵌め込むように設けられており（詳しくは図２に示す）、
図３に示すのは、プロテクティブケース主体１０のもう一つの実施例であり、該プロテクティブケース主体１０の背板部１１には、二つの外突出形穿設部２０が設けられており、該外突出形穿設部２０の凸縁２１の中央部にある通し穴２２は、一つは丸い穴で、もう一つは長い穴に設けられ、該手持ち位置決め補助ユニット３０は、可撓性を有する長形体３３であるため、連結ヘッド３２が間隔を開けて該長形体３３の二ヶ所に設けられるようになり、該二連結ヘッド３２はそれぞれ、該二外突出形穿設部２０の通し穴２２を通って、外突出形穿設部２０の嵌置空間２３内に嵌め込むように設けられている。該手持ち位置決め補助ユニット３０の長形体３１は条状、板状（図８）の何れかの一つの形態に設けられるが、
該手持ち位置決め補助ユニット３０の長形体３３と二連結ヘッド３２は、弾性と可撓性を兼ね備えたゴム、シリコン、プラスチックなどの材料で一体成形され、それにより、二連結ヘッド３２は、その弾性と可撓性を利用して、脱落せずに、外突出形穿設部２０の嵌置空間２３内に嵌め込むように設けられている。
【００１９】
該手持ち位置決め補助ユニット３０の外突出拡大体３１とプロテクティブケース主体１０の背板部１１の背側面１１２との間に、差込み握持ち空間４０が設けられており（図２、図３）、使用者は握り持つとき、手の指で差込みや握持ちするように設けられ（図１２、図１３）、使用者が携帯式電子裝置Ｂを握り持つときの安定性を向上し、持ち心地のよさや安心感が大幅に向上される。
【００２０】
図５に示すように、該手持ち位置決め補助ユニット３０の長形体３３の一ヶ所にある連結ヘッド３２は、該長い穴の通し穴２２に沿って移動、調整されるように設けられ（図５の矢印Ｌ１で示す）、手の大きさに応じて、差込み握持ち空間４０が調整されるように設けられている。
【００２１】
図６に示すように、該二つの外突出形穿設部２０の凸縁２１の中央部にある通し穴２２は、どれも丸い穴に設けられており、手持ち位置決め補助ユニット３０の長形体３３の二ヶ所にある連結ヘッド３２は、外突出形穿設部２０の嵌置空間２３内に嵌め込むように設けられている。
【００２２】
図７に示すように、該二つの外突出形穿設部２０の凸縁２１の中央部にある通し穴２２は、どれも長い穴に設けられており、手持ち位置決め補助ユニット３０の長形体３３の二ヶ所にある連結ヘッド３２は、該長い穴の通し穴２２に沿って移動、調整されるように設けられている。
【００２３】
該二つの外突出形穿設部２０の凸縁２１の中央部には長い穴の通し穴２２が設けられており、該二通し穴２２が延ばされている形状は、相互に平行し（図７）、相互に垂直（図８）、相互の間に交差角度がある（図９）という対称関係のどれかの一つに設けられている。
【００２４】
図１０に示すように、該手持ち位置決め補助ユニット３０の長形体３３は板状で、該手持ち位置決め補助ユニット３０の二連結ヘッド３２の間には、外突出拡大体３１が設けられ、それを使用者の手の指で挟み持ち、または握り持ちするようにし、または図１１に示すように、該手持ち位置決め補助ユニット３０の連結ヘッド３２は、長形体３３の両端に設けられている。
【符号の説明】
【００２５】
Ａ  硬質プロテクティブケース          
Ｂ  携帯式電子裝置      
１０  プロテクティブケース主体                  
１１  背板部                
１２  位置決め部              
１３  透かし部                
１４  コントロールパネルインターフェース      
２０  外突出形穿設部            
２１  凸縁                
２２  通し穴                  
２３  嵌置空間            
３０  手持ち位置決め補助ユニット              
３１  外突出拡大体              
３２  連結ヘッド                    
３３  長形体                
４０  差込み握持ち空間      
１１１  前側面            
１１２  背側面              
【図１】
0003177462.tif 000003
【図２】
0003177462.tif 000004
【図３】
0003177462.tif 000005
【図４】
0003177462.tif 000006
【図５】
0003177462.tif 000007
【図６】
0003177462.tif 000008
【図７】
0003177462.tif 000009
【図８】
0003177462.tif 000010
【図９】
0003177462.tif 000011
【図１０】
0003177462.tif 000012
【図１１】
0003177462.tif 000013
【図１２】
0003177462.tif 000014
【図１３】
0003177462.tif 000015